(57)【特許請求の範囲】
【請求項１】
作業車両の操縦装置(6)において、
車両の進行方向に屹立する左右サポート(9,9)と、
前記左右サポート(9,9)間に張り渡され、操作者が操作時に掌を押し当てて握るためのグリップ(11)と、
操作者が操作時に上方から指を係合させて操作するハンドル(18)を備える操作レバー(14)とを備え、
前記操作レバー(14)は、操作時における前記ハンドル(18)の軌跡(15A,38A)よりも上方に回転中心を有し、
前記ハンドル(18)の軌跡(15A,38A)は、操作者がグリップ(11)に掌を押し当てて指を握る際の指先部分が描く下方に凸の円弧の軌跡(15B,38B)に沿うようにした
ことを特徴とする操縦装置。
【請求項２】
請求項１記載の操縦装置において、
前記ハンドル(18)は、ハンドル(18)の端部に設けられたラック(23)が、前記指先の軌跡(15B,38B)に沿ってサポート(9)に設けられたガイド溝(21)内を摺動することによって移動する
ことを特徴とする操縦装置。
【請求項３】
請求項１記載の操縦装置において、
前記ハンドル(18)は、リンク機構により、前記指先の軌跡(15B,38B)に沿って移動する
ことを特徴とする操縦装置。
【発明の詳細な説明】
【０００１】
【発明の属する技術分野】
本発明は、微操作が容易な操縦装置に関する。
【０００２】
【従来の技術】
従来から、各種作業機を搭載した作業車両において、不整地を走行するような操作者の身体が不安定になる場合にも、これを片手で安定に操縦するための種々の操縦装置が提案されている。例えば、特表平７−５０２３１５号公報には、建設作業車両等に使用される自動車用制御コンソールが開示されている。図１２及び図１３は、それぞれ同公報に示された自動車用制御コンソールを示す斜視図及び要部詳細図である。
【０００３】
これらの図において、作業車両のオペレータシート８０に隣接して設けられた制御コンソール６６の上部にはアームレスト７０が設けられ、このアームレスト７０は略水平な上面７２を有している。この上面７２は、その長手方向が作業車両の進行方向に略平行になるように設けられている。また、アームレスト７０の前端部に隣接してハンドレスト７６が配設されており、このハンドレスト７６は略水平な上面７７と、アームレスト７０から上方に車両の進行方向に対して略垂直方向に設けられた隆起部７８とを有している。
【０００４】
また、ハンドレスト７６に隣接して、アームレスト７０の反対側の、操作者の指の先端が容易に届くところに、一対の操作レバー１０６，１０８が取り付けられている。この操作レバー１０６，１０８は回転中心９９を中心として回転し、それぞれ一対のリンク機構１２０，１２２を介して、回転角センサ１１２，１１４にそれぞれ連結されている。この回転角センサ１１２，１１４から、操作レバー１０６，１０８の回転量に応じた電気信号が発生し、その電気信号に基づいて、例えば図示しないマイクロプロセッサによって作業車両の操舵がコントロールされる。操作者は、片手の掌の手前部分をハンドレスト７６に密接に接触させて、手をしっかりと隆起部７８で支持しながら、指先で操作レバー１０６，１０８を操作して作業車両を操縦する。これにより、不整地を走行するなど作業車両の稼働中に操作者の身体が不安定になるような場合にも、掌を前記隆起部７８に固定させて操作レバー１０６，１０８を操作できるので、安定な操縦を行なうことが可能となっている。
【０００５】
【発明が解決しようとする課題】
しかしながら、前記特表平７−５０２３１５号公報に開示された従来技術には、次に述べるような問題点がある。
【０００６】
即ち、操縦には微妙な操作を必要とするので、操作レバー１０６，１０８の動きには長いストローク量が必要である。ところが、前記従来技術においては、図１３に示すように、操作レバー１０６，１０８の回転中心９９は操作レバー１０６，１０８よりも下方にある。このため、操作レバー１０６，１０８を操作する際に、操作レバー１０６，１０８は図１４に示すように、上方（手の甲側方向）に凸の円弧の軌跡１００Ａを描くことになる。
【０００７】
ところが、同図に示すように、掌を隆起部に押しつけながら操作レバー１０６，１０８の操作を行なう場合、操作者が指のみを握るように動かすと、指先部分は、下方（掌側方向）に凸の略円弧の軌跡１００Ｂを描く。同図は、便宜上指先の軌跡を示したが、操作レバー１０６，１０８が当接する指先部分も同様の軌跡を描くことは言うまでもない。この結果、操作者の指先の軌跡１００Ｂと操作レバー１０６，１０８の軌跡１００Ａが一致せず、操作レバー１０６，１０８が操作者の指の表面を滑りながら移動することになる。そのため、操作者が操作レバー１０６，１０８の操作時に違和感を生じると言う問題がある。
【０００８】
また、操作レバー１０６，１０８の軌跡に一致させるように指を動かすと、指の第２関節を上方に移動させながら、指先をハンドレスト７６の隆起部７８に近づける動作となる。その結果、同図に示すように操作レバー１０６，１０８の動きは指先から隆起部７８までの円弧の範囲に限定されてしまい、充分なストローク量が得られないため、微操作が難しくなり、操作性が良くなく、指に不自然な動きをさせなければならないという問題がある。そして、この範囲を越えたストローク量を得ようとするならば、操作者が手首を動かす等の動作が必要となり、掌が隆起部７８から離れて不安定となって安定な操縦が困難となると共に、人間工学的に無理な動きをするために、操作者の負担が増大する。
【０００９】
本発明は、上記の問題点に着目してなされたものであり、人間工学的に無理のない動作で、かつストローク量を大きくして微操作を可能とした操縦装置を提供することを目的としている。
【００１０】
【課題を解決するための手段、作用及び効果】
上記の目的を達成するために、第１構成の発明は、作業車両の操縦装置において、車両の進行方向に屹立する左右サポートと、前記左右サポート間に張り渡され、操作者が操作時に掌を押し当てて握るためのグリップと、操作者が操作時に上方から指を係合させて操作するハンドルを備える操作レバーとを備え、前記操作レバーは、操作時における前記ハンドルの軌跡よりも上方に回転中心を有し、前記ハンドルの軌跡は、操作者がグリップに掌を押し当てて指を握る際の指先部分が描く下方に凸の円弧の軌跡に沿うようにしている。
【００１１】
第１構成に記載の発明によれば、操作レバーがハンドルの軌跡よりも上方にある回転中心を中心として回動するため、グリップに掌を押し当てて上方からハンドルに指を係合させて操作する際に、指を握るようにしたときの指先の軌跡とハンドルの軌跡とが略一致するので、ハンドルが指先の所定の位置からずれることなく操作が可能となる。これにより、人間工学的に無理のないスムーズな操作が可能となる。また、グリップを握った状態で、より長いストロークにわたって操作レバーを操作可能であり、微操作性が向上する。
【００１４】
また、第２構成の発明は、第１構成記載の操縦装置において、前記ハンドルは、ハンドルの端部に設けられたラックが、前記指先の軌跡に沿ってサポートに設けられたガイド溝内を摺動することによって移動するようになっている。
【００１５】
第２構成記載の発明によれば、操作レバーがガイド溝内を摺動するようになっている。これにより、回転軸とハンドルとを接続するアームが不要となり、操作レバーの軌跡を任意の半径の円弧に形成することが容易となる。その結果、指先の軌跡とハンドルの軌跡とを略一致させることが容易となるので、人間工学的に無理のない操作が可能となる。
【００１６】
また、第３構成の発明は、第１構成記載の操縦装置において、操作レバーは、リンク機構により、前記指先の軌跡に沿って移動するようになっている。
【００１７】
第３構成記載の発明によれば、操作レバーがリンク機構を有している。これにより、ハンドルの軌跡が円弧以外の軌跡を描くことが可能となり、これを操作者の指先の軌跡により近づけることができる。その結果、操作者は人間工学的に好適な操作で操縦することが可能となって、操作性が向上する。
【００１８】
【発明の実施の形態】
以下、図を参照しながら、本発明に係る操縦装置について、ブルドーザを例に実施形態を詳細に説明する。尚、各実施形態において、前記従来技術の説明に使用した図、及びその実施形態よりも前出の実施形態の説明に使用した図と同一の要素には同一符号を付し、重複説明は省略する。また、以下の実施形態の説明において、車両の前進方向を前方、後進方向を後方とし、操作者が前方を向いたときの左右の方向を、それぞれ左方向、右方向と呼ぶ。
【００１９】
まず、図１〜図８に基づいて、第１実施形態を説明する。図１は、本実施形態に係るブルドーザのキャビン１内部の斜視図を示している。同図において、キャビン１内の後部の略中央には、操作者が着座するオペレータシート２が配設されており、オペレータシート２の左右には、それぞれ操作コンソール３，３が設けられている。この左右の操作コンソール３，３の上には、それぞれ左右のアームレスト４，４が設けられ、それらのアームレスト４，４の前方には、それぞれブルドーザの操縦装置６と作業機操作装置７が配設されている。
【００２０】
以下、操縦装置６の構成について詳細に説明する。図２〜図４は操縦装置６の平面図、正面図、及び左側面断面図をそれぞれ示している。
【００２１】
これらの図において、操縦装置６は正面視Ｈ形のフレーム８を主体として一体に構成されている。このフレーム８は、車両の進行方向に略垂直に屹立し、内部が中空となった側面視で略台形の左右サポート９，９と、その間に略水平に張り渡されて操作者が掌を押し当てて握るためのグリップ１１とを有している。
【００２２】
また、図２、図４に示すように、この操縦装置６は、ブルドーザの前後進切り替えを行なう前後進切り替えスイッチ１２、走行速度段の切り替えを行なう速度段切り替えスイッチ１３、及びブルドーザの旋回・操向を行なう左右の操作レバー１４，１４を備えている。まず、前後進切り替えスイッチ１２は、例えば３段切り替えのシーソー式スイッチを有しており、この前後進切り替えスイッチ１２が中立状態にあるとブルドーザを停止させる。また、前後進切り替えスイッチ１２を上方に倒すとブルドーザを前進、下方に倒すと後退させるようになっている。この前後進切り替えスイッチ１２は、右サポート９の後部傾斜面のグリップ１１の近傍に配置されており、操作者が左手でグリップ１１を握った際に、左手の親指で容易に操作可能となっている。
【００２３】
次に、速度段切り替えスイッチ１３は、２個の押しボタンスイッチ１３Ａ，１３Ｂを有している。これらの押しボタンスイッチは、それぞれブルドーザの速度段をシフトアップ、シフトダウンするスイッチであり、１回押すごとに多段変速機（図示せず）の多段変速比クラッチを切り替えられるようになっている。この速度段切り替えスイッチ１３は、前記前後進切り替えスイッチ１２の下方に配置されており、操作者が左手でグリップ１１を握った際に、左手の親指で操作可能となっている。
【００２４】
そして、左右の操作レバー１４，１４は、それぞれグリップ１１の斜め上前方にサポート９，９に対して略垂直に設置された回転軸１９，１９と、この回転軸１９，１９を回転中心として回動自在に保持されているアーム１７，１７と、このアーム１７，１７に略直交し、操作者が指を係合させて操作するハンドル１８，１８とを備えている。
【００２５】
以下、左右の操作レバー１４，１４の作用について詳細に説明する。尚、以下の説明においては、左右の操作レバー１４，１４を代表して、右操作レバー１４について説明するが、左の操作レバー１４についてもグリップ１１の中心線Ｄと対称に同様の機構を備えているものとする。
【００２６】
図５は、右サポート９の内部を表す左側面断面図である。図４、図５に示すように、操作レバー１４の回転軸１９は、右サポート９の左側壁に設置された回転部１６に接続されている。この回転部１６は、例えばポテンショメータを備えて、回転軸１９の回転角度を検出し、その回転角度に応じて電気信号を出力する回転角センサ４３と、一端をこの回転軸１９に固定され、回転軸１９の回転に応じて同心で回転するアーム４１と、一端をこのアーム４１に掛止され、他端をフレーム８から内部に突出したブラケット４５に掛止された戻しバネ４２とを備えている。そのため、操作レバー１４に力が加わらない場合は、アーム１７はこの戻しバネ４２の張力により、前面がサポート９から突出したストッパ４４に当接するまで引っ張られ、ハンドル１８を常に所定の停止位置に引き戻している。
【００２７】
そして、操作者が、ハンドル１８に指先をかけてグリップ１１方向に引き寄せると、その操作量がアーム１７を介して前記回転角センサ４３により回転角変位として検出され、図示しない制御器に出力される。本実施形態では、制御器はこれらの回転角信号を受けて所定の処理を行ない、作業車両の操向クラッチ・ブレーキ油圧制御装置に指令を出力しているが、これは車両の形態により、制御処理の内容を変えていかようにも制御することが可能である。図４に示すように、ハンドル１８がグリップ１１に当接したときが、操作レバー１４のストロークエンドとなる。そして、操作者がハンドル１８から手を離すと、戻しバネ４２の張力により、ハンドル１８はアーム１７の前面がストッパ４４に当接する前記所定の停止位置に復帰する。
【００２８】
また、図５に示すように、アーム４１の他端部は、回転軸１９の回転角度に応じて反力を操作者に伝える反力発生装置２０に当接されている。以下、本出願人他が特願平１０−１８２６７号に記載した技術を例にとって、反力発生装置２０について説明する。
【００２９】
図６は、反力発生装置２０の一例の内部構造を示す断面図である。同図において、反力発生装置２０は、アーム４１の前端に固定された円筒部材４１Ａと、この円筒部材４１Ａの外周に一端が当接するロッド４６と、このロッド４６が内部を貫通するスプリングケース４７とを備えている。スプリングケース４７は、同図に示すようにバネ定数の異なる２種類のスプリング４８，４９を内蔵しており、操向操作及びブレーキ操作に見合った操作力を与えるように構成されている。
【００３０】
スプリングケース４７の内部には、径の異なる略円柱状の中空部が左右に形成されており、左部の小径中空部と右部の大径中空部との境に端面５１が設けられている。大径中空部には、左方に開口し、かつ外形が略円筒形状のキャップ状部材５３が配設されており、このキャップ状部材５３の左端外周部に鍔部５４が設けられている。そして、この鍔部５４と大径中空部の右端内面との間にスプリング４９が配設されており、スプリング４９の付勢力によって鍔部５４の左端面５５が前記端面５１に当接するようになっている。また、ロッド４６はスプリングケース４７及びキャップ状部材５３の中心部を貫通するように設けられており、ロッド４６の中間部に係止部材５６が取着されている。そして、この係止部材５６とキャップ状部材５３の右端面部との間にスプリング４８が配設されており、スプリング４８の付勢力によって係止部材５６の左端面が前記小径中空部の左端面５２に当接するようになっている。
【００３１】
ここで、操作者によって操作レバー１４がグリップ１１のほうへ操作されると、アーム４１の前端部の円筒部材４１Ａが、ロッド４６をスプリングケース４７の内部へ押し込む。係止部材５６がキャップ状部材５３の鍔部５４の左端面５５に当接するまでは、操作レバー１４のストロークに比例したスプリング４８の付勢力がロッド４６に作用し、これに対応する操作力が必要となる。そして、係止部材５６がキャップ状部材５３に当接した後は、スプリング４８の付勢力に操作レバー１４のストロークに比例したスプリング４９の付勢力がさらに加算されてロッド４６に作用し、必要な操作力が大きく増加するようになっている。
【００３２】
図７は、左右の操作レバー１４，１４のストロークと、操作力と、これに対応する操向クラッチ及び操向ブレーキの駆動油圧の大きさとの関係を表している。即ち、本実施形態では同図に示すように、ストロークにおいて操向クラッチの切り終わり位置θ１と操向ブレーキの効き始め位置θ２との間で、前記スプリング４８とスプリング４９との付勢力の変化により操作力を大きく変化させることによって、操作者が容易にブレーキ操作の始まりを認識できるようにしている。
【００３３】
左右の操作レバー１４操作時の操向クラッチ油圧及び操向ブレーキ油圧の変化は、同図に示すように、Ｃ１からＣ２までの間は操向クラッチ油圧が漸増する半クラッチ域となり、その後Ｃ３（ストロークθ１に相当）で操向クラッチ油圧が急上昇してクラッチの接続が断たれる。さらに、左右の操作レバー１４，１４を引くと、操向ブレーキ油圧が急下降して操向ブレーキがかかり始め、この後Ｂ１からＢ２までの間は操向ブレーキ油圧が漸減して半ブレーキ状態となり、Ｂ３でフルブレーキ状態となる。
【００３４】
次に、図８に基づいて、操作者が操作レバー１４を操作する際の、指と操作レバー１４との動作について説明する。同図に、操作者がグリップ１１を握ったときの操縦装置６の左側面断面図を示す。これらの図において、左右のハンドル１８，１８は、それぞれ力を加えない状態では、前記戻しバネ４２によって常にグリップ１１の略前方のストローク開始点２５Ａに位置している。そして、操作者が左手のグリップ１１に掌を押し当てたときに、左手の人さし指の第１関節近傍が右のハンドル１８に、中指、薬指、小指の３本の指の第１関節近傍が図示しない左のハンドル１８に、それぞれ係合するようになっている。尚、本実施形態では図２に示すように、グリップ１１の中心線Ｄが、車両の進行方向に対して約１０゜傾くようにしている。これにより、操作者がこのグリップ１１に掌を押し当てて握った際に掌がわずかに身体の外側に向き、操作者の左手首に不要な力をかけずに自然な状態でグリップ１１を握れるようになっている。また、左操作レバー１４のハンドル１８は、左端がグリップ１１に最も近接し、右端がしだいにグリップ１１から遠ざかるような、平面視で略Ｓ字型の緩いカーブを有する形状となっている。これにより、左手の指のうち、最も短い小指の先端も、ハンドル１８に好適に係合する。
【００３５】
同図において、操作者が操作レバー１４，１４のハンドル１８，１８を引くと、操作レバー１４，１４の回転中心はハンドル１８，１８よりも上方にあるため、ハンドル１８はストローク開始点２５Ａより下方に凸の円弧の軌跡１５Ａを描いて、グリップ１１に引きつけられる。そして、グリップ１１の下部に接触したストローク終了点２５Ｂに至って、操作レバー１４のストロークが完了する。このように、本実施形態による軌跡１５Ａを従来技術による操作レバー１０６，１０８の軌跡１００Ａと比較すると、ハンドル１８のストローク開始点２５Ａはほぼ同じ場所から始まっているのに対し、ストローク終了点２５Ｂはより操作者に近い位置に至っており、ストローク量がより大きくなっていることがわかる。
【００３６】
さらに、このとき操作者の指先は、第３関節を中心に下方に動くため、その軌跡１５Ｂは、ハンドル１８の軌跡１５Ａと同様に下方に凸の円弧となる。即ち、指先の軌跡１５Ｂとハンドル１８の軌跡１５Ａとが略一致するので、ハンドル１８が指先の所定の位置（本実施形態では第１関節）からずれることなく操作が可能となっている。これにより、人間工学的に無理なく操作を行なうことができ、しかもストローク量を大きくなっているので、微操作が可能となっている。
【００３７】
次に、図９〜図１０に基づいて、第２実施形態を説明する。図９は、本実施形態に係る操縦装置６の右側サポート９の左側面断面図、図１０はその正面断面図を示している。尚、以下の説明においては、前記第１実施形態と同様に左右の操作レバー１４，１４を代表して、右操作レバー１４について説明するが、左の操作レバー１４についてもグリップ１１の中心線Ｄと対称に同様の機構を備えているものとする。
【００３８】
これらの図において、本実施形態に係る右側サポート９は中実となっており、その左側壁近傍には、サポート９に略平行に始端２１Ａから終端２１Ｂまで、略円形の断面形状を有するガイド溝２１が、下方に凸の円弧状に設けられている。図１０に示すように、このガイド溝２１は、断面の円の一部が右側サポート９の左側壁によって切り取られた形状になっており、この第１の開口部２２によって外部に通じている。
【００３９】
そして、ガイド溝２１の内部には、略円形の断面形状がこのガイド溝２１とほぼ一致し、かつ外周がこのガイド溝２１の内周よりもわずかに小さいラック２３が、ガイド溝２１内部に摺動自在に嵌合されている。尚、図においては、ガイド溝２１とラック２３との間の隙間は、理解のために実際よりも大きく描かれている。このラック２３の一端とガイド溝２１の終端２１Ｂとの間には、スプリング２４が入っており、ラック２３を常に始端２１Ａ側に押しつけている。また、ラック２３の他端近傍には、このラック２３と略垂直にハンドル１８が設けられており、このハンドル１８を操作してラック２３をガイド溝２１内で摺動させることが可能である。
【００４０】
また、このガイド溝２１の内周側の、始端２１Ａの上方近傍には、第２の開口部２６が設けられ、その上方に設けられた空間２７と通じている。この空間２７の内部には、ラック２３と噛合させたピニオン２８が設けられており、サポート９と略垂直に設けられた回転軸１９に対して回動自在となっている。回転軸１９は、サポート９内部に設けられた回転部１６に接続しており、この回転部１６は、ピニオン２８の回転角度に応じた電気信号を出力する。また、この回転部１６は、前記実施形態と同様に、回転角度に応じた反力を発生させる反力発生装置を備えていてもよい。尚、左右のサポート９，９の間にグリップ１１が張り渡されているのは、前記第１実施形態と同様である。
【００４１】
以下、本実施形態に係る操縦装置６の作用について説明する。操作者はグリップ１１に掌を押し当てて握り、指先に係合したハンドル１８を引き寄せる。これにより、ラック２３は始端２１Ａから終端２１Ｂに向けて、ガイド溝２１の内部を摺動する。ラック２３の摺動に伴い、これに噛合したピニオン２８が回転する。そして、回転部１６，１６からはハンドル１８の回転角度に応じた電気信号が出力される。この電気信号に基づき、作業車両の操縦を行なうのは、前記第１実施形態と同様である。尚、ハンドル１８を離すと、ラック２３はスプリング２４に押されて元の始端２１Ａに戻るようになっている。
【００４２】
このように本実施形態によれば、下方に凸の円弧状のガイド溝２１に沿ってハンドル１８が動くので、回転軸１９とハンドル１８とを接続するアーム１７が不要となり、操作レバー１４の軌跡を任意の半径の円弧、例えば大きな半径の円弧にも形成することが容易に可能である。その結果、指先の軌跡とハンドル１８の軌跡とを略一致させることが容易となるので、人間工学的に無理のない操作が可能となる。
【００４３】
さらに、操作レバー１４の軌跡が下方に凸の円弧状となるにも拘らず、グリップ１１の上方に回転軸１９を設ける必要がない。即ち、サポート９をグリップよりも高くしなければならないという制限がなくなり、サポート９の形状をより自由にデザイン可能である。
【００４４】
或いはこのとき、ラック２３を可撓性を有する材料、例えばＦＲＰ等で形成してもよい。このようにすれば、ガイド溝２１を円弧でなく、例えば高次曲線等の、より指先の軌跡に近い軌跡に形成することが可能である。
【００４５】
次に、図１１に基づいて、第３実施形態を説明する。同図は、本実施形態に係る操縦装置６の左側面断面図である。尚、以下の説明においては、前記第１、第２実施形態と同様に左右の操作レバー１４，１４を代表して、右操作レバー１４について説明するが、左の操作レバー１４についてもグリップ１１の中心線Ｄと対称に同様の機構を備えているものとする。
【００４６】
同図において、操縦装置６は前記第１、第２実施形態と同様の回転部１６と、この回転部１６近傍にあって、回転部１６の回転軸１９と平行な第２の回転軸３１と、回転部１６の回転軸１９を中心として回動自在な第１のアーム３２と、第２の回転軸３１を中心として回動自在な第２のアーム３３と、さらに一端を第２のアーム３３の一端に回動自在に接続され、さらにその中間部を第１のアーム３２の一端に回動自在に接続された第３のアーム３４と、この第３のアーム３４の他端部にサポート９に略垂直に設けられたハンドル１８とを備えている。
【００４７】
このように、第１〜第３のアーム３２〜３４はリンク機構を構成しており、操作者がハンドル１８を操作したときの動きを、ストローク量に応じた回転角に変換している。これにより、ハンドル１８の軌跡３８Ａが円弧以外の軌跡を描くことが可能となり、これを操作者の指先の軌跡３８Ｂにより近づけることができる。その結果、操作者は人間工学的に好適な操作で作業車両を操縦することが可能となって、操作性が向上する。
【００４８】
また、第１のアーム３２は、２本のアーム部３２Ａと、そのアーム部３２Ａの一端にそれぞれ互いに反対の回転方向に切られたオスネジ部３２Ｂとを備えている。そして、これらのオスネジ部３２Ｂには、両端に互いに反対の回転方向に切られたメスネジ部（図示せず）を備えたブッシュ３７がねじ込まれている。このブッシュ３７を回転させることにより、第１のアーム３２のオスネジ部３２Ｂがブッシュ３７内に入り込む量を変化させ、第１のアーム３２の長さを変更可能となっている。これは、第２、第３のアーム３３，３４も同様である。これにより、操作者の手の大きさに合わせてハンドル１８の位置を変更し、操作しやすい位置で操縦を行なうことができるので、作業車両の操作性が向上する。
【００４９】
以上説明したように、本発明によれば、操作レバー１４の軌跡１５Ａ，３８Ａが下方に凸の円弧を描くので、グリップ１１を握った操作者の指先の動きの軌跡１５Ｂ，３８Ｂと略一致する。その結果、操作レバー１４が常に指の第１関節近傍から離れない状態で操作レバー１４を操作することができるので、人間工学的に無理のない操縦が可能となる。
【００５０】
また、これにより、操作レバー１４のストロークの終端をより操作者に近づけることができ、ストローク量が前記従来技術に比べて大きくなるので、操作者に負担をかけずに、操作レバー１４の微操作が可能となる。その結果、作業車両の操縦を微妙に制御することが可能となり、作業性が向上する。
【００５１】
尚、本発明においては、作業車両をブルドーザとして説明したが、これはブルドーザに限定されるものではなく、他の作業車両にも応用可能である。また、操作レバー１４を操向クラッチ・ブレーキを操作する操作レバー１４として説明したが、やはりこれに限定されるものではなく、他の操作を行なう操作レバー１４に対しても応用可能である。さらに、反力発生装置２０についても、実施形態で説明したような形態のものに限定されるものではない。
【００５２】
さらに、操縦装置６の設置位置は、オペレータシート２の左側に限定されるものではなく、右側でもよい。また、操作者が操縦装置６を握る際に、その手が身体の外側に向くように操縦装置６を外に約１０゜傾けるようにしたが、これに限定されるものではなく、例えば、走行方向にまっすぐ向けてもよい。また、操縦装置６のフレーム８をサポート９とグリップ１１とで構成するようにしたが、このような形状に限定されるものではない。さらに、グリップ１１は水平に保持されているようにとしたが、これに限定されるものではなく、例えば垂直に屹立した形状でもよい。
【図面の簡単な説明】
【図１】本発明の第１実施形態に係るキャビン内部の斜視図。
【図２】操縦装置の平面図。
【図３】操縦装置の正面図。
【図４】操縦装置の左側面断面図。
【図５】右サポート内部の左側面断面図。
【図６】反力発生装置の断面図。
【図７】操向操作時の操作レバーストロークと、操作力と、操向クラッチ及び操向ブレーキの駆動油圧の大きさとの関係を示すグラフ。
【図８】指と操作レバーとの動作の説明図。
【図９】第２実施形態に係る操縦装置の左側面断面図。
【図１０】操縦装置の正面断面図。
【図１１】第３実施形態に係る操縦装置の左側面断面図。
【図１２】従来技術に係る操縦装置の自動車用制御コンソールの斜視図。
【図１３】従来技術に係る操縦装置の自動車用制御コンソールの要部詳細図
【図１４】従来技術に係る操作レバーの軌跡を示す説明図。
【符号の説明】
１…キャビン、２…オペレータシート、３…操作コンソール、４…アームレスト、６…操縦装置、７…作業機操作装置、８…フレーム、９…サポート、１１…グリップ、１２…前後進切り替えスイッチ、１３…速度段切り替えスイッチ、１４…操作レバー、１５Ａ，１５Ｂ…軌跡、１６…回転部、１７…アーム、１８…ハンドル、１９…回転軸、２０…反力発生装置、２１…ガイド溝、２１Ａ…始端、２１Ｂ…終端、２２…第１の開口部、２３…ラック、２４…スプリング、２５Ａ…ストローク開始点、２５Ｂ…ストローク終了点、２６…第２の開口部、２７…空間、２８…ピニオン、３１…第２の回転軸、３２…第１のアーム、３３…第２のアーム、３４…第３のアーム、３７…ブッシュ、３８Ａ，３８Ｂ…軌跡、４１…アーム、４１Ａ…円筒部材、４２…戻しバネ、４３…回転センサ、４４…ストッパ、４５…ブラケット、４６…ロッド、４７…スプリングケース、４８…スプリング、４９…スプリング、５１…端面、５２…左端面、５３…キャップ状部材、５４…鍔部、５５…左端面、５６…係止部材。
【図１】
0004117749.tif 000002
【図２】
0004117749.tif 000003
【図３】
0004117749.tif 000004
【図４】
0004117749.tif 000005
【図５】
0004117749.tif 000006
【図６】
0004117749.tif 000007
【図７】
0004117749.tif 000008
【図８】
0004117749.tif 000009
【図９】
0004117749.tif 000010
【図１０】
0004117749.tif 000011
【図１１】
0004117749.tif 000012
【図１２】
0004117749.tif 000013
【図１３】
0004117749.tif 000014
【図１４】
0004117749.tif 000015